(57)【要約】【課題】自動販売機に設置する商品見本缶の表示シートにおいて、商品見本表示とともに販売促進情報表示を一度の装着作業で枠体に装着して商品見本缶とすることができる表示シートを提供する。【課題の解決手段】表示シート１１は、販売商品を識別するために販売商品のデザインにならって表示した見本表示部１２と、消費喚起を促す宣伝情報などの販売促進情報を表示した販売促進情報表示部１３とを、一枚のシートに設けてなるとともに、販売促進情報表示部１３はその上端部が枠体に装着して商品見本缶とした時に枠体から突出した状態となるもので、販売促進情報表示部１３の上端両端部には一対の切り欠き部１４ａ，１４ｂからなる係合部を設けたものである。【選択図】　　図１
2004078384.tif 000002
【特許請求の範囲】
【請求項１】
自動販売機に取り付ける枠体とこの枠体に装着する表示シートとからなる商品見本缶の前記表示シートであって、前記表示シートは、販売商品を識別するために販売商品のデザインにならって表示した見本表示部と、消費喚起を促す宣伝情報などの販売促進情報を表示した販売促進情報表示部とを、一枚のシートに設けてなるとともに、前記販売促進情報表示部は少なくともその一部が前記枠体装着時に前記枠体から突出するよう構成したことを特徴とする自動販売機に設置する商品見本缶の表示シート。
【請求項２】
表示シートの販売促進情報表示部には、枠体に係合する係合部を設けたことを特徴とする請求項１記載の自動販売機に設置する商品見本缶の表示シート。
【請求項３】
係合部は切り欠き部からなることを特徴とする請求項２に記載の自動販売機に設置する商品見本缶の表示シート。
【発明の詳細な説明】
【０００１】
【発明の属する技術分野】
本発明は、自動販売機の商品購入者が視認可能な位置に設置する商品見本缶の表示シートに関する。
【０００２】
【従来の技術】
従来のこの種商品見本缶の表示シートは、販売商品に表示された商品名を含む図柄や文字などとほぼ同一の表示を有し、自動販売機に取り付けるための枠体に着脱可能に装着するのが一般的である。そして、図５に示すように、枠体と表示シートからなる商品見本缶３は、自動販売機１の正面上部に設けた販売商品名などを表示した表示部２の下の設置棚に設置される。なお、図５中、４は各商品見本缶３毎に設けた商品選択ボタン、５はコイン投入口、６は自動販売機１の販売商品全般に関する販売促進用の宣伝広告文を表示した宣伝プレートであり、この宣伝プレート６は、取付具７で取付部８に取り付けられ、その下には開閉可能な合成樹脂カバー（図示せず）を備えた商品取り出し口９を設けている。また、１０は透明な合成樹脂からなる保護カバーであり、前記商品選択ボタン４は、この保護カバー１０から突出している。
【０００３】
このように、従来においては、自動販売機１で販売する複数種類の販売商品全般に関する宣伝広告は、宣伝プレート６に表示するが、個々の販売商品に関する宣伝広告は、実用新案登録第３０７５７１６号公報で示された販売促進補助具のように、表示シートとは別体の補助シート部材に表示し、この補助シート部材を対象となる商品見本缶３の枠体に表示シートとともに装着しているのが、一般的である。
【０００４】
【発明が解決しようとする課題】
このため、従来においては、この個々の販売商品に関する宣伝広告を行うには、二枚のシートを各別に枠体に装着しなければならないので、通常の見本缶における表示シートの装着作業に比べてほぼ２倍の作業時間がかかるものであった。一方、自動販売機の設置数の増加にともない、この表示シートの装着作業には作業時間の短縮化が求められており、自動販売機管理者が商品補充時に行う二枚目の補助シート部材の装着作業は、時間的な余裕がない自動販売機管理者にとっては煩雑なものとなっており、この補助シート部材の装着作業を行わない自動販売機管理者が多くなっている。これによって、せっかく作成した補助シート部材の装着率は極めて低いものとなっている。本発明は、このような事情に鑑みてなされたもので、個々の販売商品の販売促進を図る宣伝広告が可能であるとともに、装着作業に手間がかからない表示シートを提供することを目的とする。
【０００５】
【課題を解決するための手段】
この目的を達成するため、本発明の請求項１に係る自動販売機に設置する商品見本缶の表示シートは、自動販売機に取り付ける枠体とこの枠体に装着する表示シートとからなる商品見本缶の前記表示シートであって、前記表示シートは、販売商品を識別するために販売商品のデザインにならって表示した見本表示部と、消費喚起を促す宣伝情報などの販売促進情報を表示した販売促進情報表示部とを、一枚のシートに設けてなるとともに、前記販売促進情報表示部は少なくともその一部が前記枠体装着時に前記枠体から突出するよう構成したものである。
【０００６】
同じく上述の目的を達成するため、本発明の請求項２に係る自動販売機に設置する商品見本缶の表示シートは、上記請求項１に記載の表示シートの販売促進情報表示部には、枠体に係合する係合部を設けたものである。
【０００７】
同じく上述の目的を達成するため、本発明の請求項３に係る自動販売機に設置する商品見本缶の表示シートは、上記請求項２記載の係合部が、切り欠き部からなるものである。
【０００８】
【発明の実施の形態】
以下、本発明の好適な実施形態を添付図面の図１〜図４に基づいて詳細に説明する。ここにおいて、図１は表示シートの正面図、図２は枠体の正面図、図３は商品見本缶の正面面、図４は商品見本缶の側面図である。
【０００９】
図１に示すように、表示シート１１は一枚の軟質性樹脂シートからなり、販売商品を識別するために販売商品のデザインにならって「オレンジジュース」という商品名とオレンジの図柄をカラー印刷で表示した見本表示部１２と、この見本表示部１２の上に設けた、消費喚起を促す「「しぼりたて」の旨さに感動」という販売促進情報をカラー印刷で表示した販売促進情報表示部１３とを有する。また、この販売促進情報表示部１３の上端は中央に向けて曲状に膨らむよう形成し、その左右端近傍には、後述の枠体に係合するための係合部たるほぼ半円状の切り欠き部１４ａ，１４ｂを設けている。
【００１０】
図２に示すように、表示シート１１を装着する枠体１５は、硬質製樹脂材からなり、販売商品である飲料缶の上面にならった円形の天板に沿って設けた上縁１６と、飲料缶の周面の一部にならった曲面状に形成し、前面はほぼ半周に及んで開口して背面の上部で連続する右側面１７及び左側面１８と、三つの透孔１９，２０，２１を設けた傾斜背面２２（図４参照）と、前記右側面１７と前記左側面１８の下端を連結する曲面状の下縁２３とからなる。
【００１１】
そして、この枠体１５の右側面１７と左側面１８の内側には、表示シート１１の両側端を前記両側面１７，１８とともに係止する一対の係止突片２４ａ，２４ｂを設ける一方、下縁２３上端面中央には、前記表示シート１１の下端を前記下縁２３とともに係止する係止突起２５を設けている。また、枠体１５の透孔２１の傾斜背面２２外面に沿って、自動販売機（図５参照）の設置棚に設けた係合孔（図示せず）に係合するための係合突縁２６を設けている。
【００１２】
上述した表示シート１１を枠体１５に装着して、図３及び図４に示す商品見本缶３１とするには、前記表示シート１１を、その両側端を接近させるように湾曲して、その上端の一対の切り欠き部１４ａ，１４ｂを前記枠体１５の上縁１６に係止するように挿入し、これら切り欠き部１４ａ，１４ｂを支点として、前記両側端の上部を枠体１５の両側面１７，１８と係合突片２４ａ，２４ｂとの間に挿入したうえ、徐々に下端に向けて前記両側面１７，１８の内側に挿入し、その下端を下縁２３内側に挿入して前記下縁２３と係合突起２５で係止すればよい。
【００１３】
この商品見本缶３１にあっては、販売促進情報部１３の切り欠き部１４ａ，１４ｂより上の部分が、枠体１５の上縁１６よりも上に突出した状態となる。この商品見本缶３１は、その枠体１５の傾斜背面に設けた係合突縁２６によって、図５に示す従来の見本缶３と同様に、自動販売機１の設置棚に設けた係合孔（図示せず）に係合して設置されるものである。
【００１４】
なお、本発明は上述の実施形態に限定されるものではなく、例えば、販売促進情報部１３の形状や、枠体１５から突出する部分の大きさは図示の例に限らない。また、切り欠き部１４ａ，１４ｂの形状も半円状に限らず、三角形状や直線状であってもよい。さらに、表示シート１１の見本表示部１２と販売促進情報表示部１３に表示する情報は、販売商品に応じて適宜変更されるものである。またさらに、枠体１５の形状も自動販売機１の設置棚の構成に応じて適宜変更されるものである。
【００１５】
【発明の効果】
以上説明したところで明らかなように、本願の請求項１に係る発明によれば、一枚の表示シートを枠体に装着すれば、商品見本表示とともに販売促進情報表示を少なくともその一部が枠体から突出した目立つ状態でなしうるので、装着作業が容易であるとともに、常に販売促進情報表示を商品見本表示と一体でなして販売促進の向上を図れるほか、シートが一枚でよいので製造コストも安価であるという効果を奏する。
【００１６】
また、本願の請求項２に係る発明によれば、上述の請求項１に係る発明の効果に加えて、係合部を設けることにより、装着作業の容易化を向上するとともに、装着状態を確実に維持できるという効果を奏する。
【００１７】
さらに、本願の請求項３に係る発明によれば、上述した請求項２に係る発明の効果に加えて、係合部を切り欠き部で構成したので、構成が簡便で、表示シートの製造が容易であるという効果を奏する。
【図面の簡単な説明】
【図１】表示シートの正面図。
【図２】枠体の正面図。
【図３】商品見本缶の正面図。
【図４】商品見本缶の側面図。
【図５】従来の自動販売機における見本缶の設置状態を示す正面図。
【符号の説明】
１１　　　表示シート
１２　　　見本表示部
１３　　　販売促進情報表示部
１４ａ，１４ｂ　　　切り欠き部
１５　　　枠体
１６　　　上縁
１７　　　右側面
１８　　　左側面
２２　　　傾斜背面
２３　　　下縁
２４ａ，２４ｂ　　　係合突片
２５　　　係合突起
２６　　　係合突縁
３１　　　商品見本缶
【図１】
2004078384.tif 000003
【図２】
2004078384.tif 000004
【図３】
2004078384.tif 000005
【図４】
2004078384.tif 000006
【図５】
2004078384.tif 000007